(57)【要約】  本発明は、クレンジング装置に関するものであって、クレンジング対象に密着する内側クレンジング部と、前記内側クレンジング部の外側に設けられる外側クレンジング部と、前記内側クレンジング部および前記外側クレンジング部を互いに相対回転させる回転部と、を含み、前記内側クレンジング部と前記外側クレンジング部は、１つまたはそれ以上の接触点を有することを特徴とする。
2021520238.tif 000002
【特許請求の範囲】
【請求項１】
クレンジング対象に密着する内側クレンジング部と、
前記内側クレンジング部の外側に設けられる外側クレンジング部と、
前記内側クレンジング部および前記外側クレンジング部を互いに相対回転させる回転部と、
を含み、
前記内側クレンジング部と前記外側クレンジング部は、１つまたはそれ以上の接触点を有することを特徴とするクレンジング装置。
【請求項２】
前記内側クレンジング部と前記外側クレンジング部は、互いに異なる方向に回転することを特徴とする請求項１に記載のクレンジング装置。
【請求項３】
前記接触点は、前記内側クレンジング部と前記外側クレンジング部が接触する１つまたはそれ以上の部分として、前記内側クレンジング部と前記外側クレンジング部が回転する間、回転摩擦によって洗浄製品と空気、水の混合力を高めてバブルを生成させることを特徴とする請求項１に記載のクレンジング装置。
【請求項４】
前記内側クレンジング部と前記外側クレンジング部は、１つまたはそれ以上の収容部を有することを特徴とする請求項１に記載のクレンジング装置。
【請求項５】
前記収容部は、前記内側クレンジング部と前記外側クレンジング部が接触しない空間部分として、前記接触点から生成されたバブルを収容し、前記内側クレンジング部の上面に提供することを特徴とする請求項４に記載のクレンジング装置。
【請求項６】
前記内側クレンジング部は、メッシュまたはスポンジ素材からなり、前記外側クレンジング部に少なくとも一部分が重畳するように、側面に１つまたはそれ以上の突出部が備えられることを特徴とする請求項１に記載のクレンジング装置。
【請求項７】
前記突出部は、先端が切開された形を有することを特徴とする請求項６に記載のクレンジング装置。
【請求項８】
前記内側クレンジング部は、上面が前記外側クレンジング部の高さと同一または類似の高さを有するフラット構造に形成されることを特徴とする請求項１に記載のクレンジング装置。
【請求項９】
前記内側クレンジング部は、一側の高さが前記外側クレンジング部の高さと同一または類似しており、他側の高さが前記外側クレンジング部の高さよりも低くなるように、上面が一方向に傾いたチルト構造に形成されることを特徴とする請求項１に記載のクレンジング装置。
【請求項１０】
前記内側クレンジング部は、側面に垂直あるいは水平方向に切開された切開部を有するエッジカッティング構造に形成されることを特徴とする請求項１に記載のクレンジング装置。
【請求項１１】
前記内側クレンジング部は、上面が一方向に傾いたチルト構造と側面に垂直あるいは水平方向に切開された切開部を有するエッジカッティング構造が組み合わされた構造に形成されることを特徴とする請求項１に記載のクレンジング装置。
【請求項１２】
前記内側クレンジング部は、上面が前記外側クレンジング部の高さと同一または類似の高さを有するフラット構造と、側面に垂直あるいは水平方向に切開された切開部を有するエッジカッティング構造と、が組み合わされた構造に形成されることを特徴とする請求項１に記載のクレンジング装置。
【請求項１３】
前記外側クレンジング部は、複数の毛を有するブラシからなり、前記内側クレンジング部との摩擦によって生成されたバブルが外部に飛散ることを防止するように、その高さが前記内側クレンジング部の高さよりも等しいか、または高く、ブラシの毛がぎっしりと配置されることを特徴とする請求項１に記載のクレンジング装置。
【発明の詳細な説明】
【技術分野】
【０００１】
本発明は、クレンジング装置に関するものであって、より具体的には、内側クレンジング部と外側クレンジング部が互いに異なる方向に回転するようにするが、内外側クレンジング部が１つまたはそれ以上の接触点を有するようにして自体的にバブル生成力を増大させることができ、効率的な洗浄を具現できるようにするクレンジング装置に関する。
【背景技術】
【０００２】
一般的に老若男女を問わず、身体の美しさへの欲望は、誰でも持っている。このような身体の美しさのなかでも、特に他人が最初に識別することになる皮膚の美しさを追求するために、人々は、様々な手段と方法を用いてスキンケアをする。
【０００３】
スキンケアは、シミがなく、清潔かつなめらかな皮膚の維持を目標とし、特に、身体部位中の顔のスキンケアについて最も多くの関心が形成されている。したがって、人々は、顔のスキンケアのためにマッサージを受けたり、皮膚を美しく見せる機能性化粧製品を塗ったり、または各種洗浄製品を使用して皮膚を清潔に維持しようとする努力を継続する。
【０００４】
その中で皮膚の老廃物などを除去するための洗顔の重要性が次第に増大しており、洗顔のために人々は、液状のクレンジング剤形のような洗浄製品を顔に塗った後に洗い流す方式を使用する。
【０００５】
しかし、手を用いて洗顔をする場合に、洗浄製品が皮膚に均一に伝達できないことがあり、手による細菌感染が起こることがあるため、最近は、様々な道具を用いて間接的に洗浄製品を皮膚に塗布する方式が用いられる。特に、道具のなかで、ブラシを含み、振動を起こすか、または回転を発生させる装置を用いる洗顔方法が広く脚光を浴びている。
【０００６】
ところが、従来販売されるブラシ装置は、ブラシが全体的に一方向にのみ回転されるか、または振動を用いて使用者の動きに応じて洗浄される方式であるため、これは対称的な筋肉配列を持つ顔に非対称的な力を伝達することになる。
【０００７】
また、皮膚に加えられる刺激を多様化できない問題がある。特に、一方向に回転する製品や強い振動で作動する製品の場合、洗浄製品が外部に飛散る現象を誘発して使用者に不便をもたらし、洗浄製品が目などの敏感な部位に入って深刻な問題を発生させる恐れがある。
【０００８】
また、市販のクレンジング機器の場合、クレンジング力はあるが、ブラシに洗浄製品が挟まってバブルが生成されず、消費者が直接手で泡立てた後に、ブラシにつけて使用する不便さがあり、追って、洗浄時に洗浄製品の残余物が残る問題がある。
【０００９】
洗浄製品のバブル生成力を高めるためには、機器的には、別の装置を購入するべきであるため、消費者の購入による費用負担が加重され、従来の手で消費者が泡立てる方式は、バブル生成の効果が低く、バブル生成機器中には、空気通路と洗剤連結通路を作ってバブルを作り、生成されたバブルを移動させるためのノズルが必要な複雑な方法が用いられる。このように、従来のバブルを生成させる方法としては、洗顔ネットで空気と洗浄液を混合させる方法が用いられるが、この方法では、繊細であるか、または均質の空気を含むバブルを生成させることが難しく、泡が消失しやすくなるという短所がある。
【発明の概要】
【発明が解決しようとする課題】
【００１０】
本発明は、前記のような従来技術の問題点を解決しようと創出されたものであって、本発明の目的は、手や顔に接触することなく、自体的に洗浄製品と空気、水の混合力を高めてバブルの生成力を増大させるようにするクレンジング装置を提供するものである。
【００１１】
また、本発明の目的は、生成されたバブルが使用中に外部に飛散らないようにして洗浄製品の無駄遣いを防止し、使用者の満足度を高められるクレンジング装置を提供するものである。
【課題を解決するための手段】
【００１２】
本発明の一側面によるクレンジング装置は、クレンジング対象に密着する内側クレンジング部と、前記内側クレンジング部の外側に設けられる外側クレンジング部と、前記内側クレンジング部および前記外側クレンジング部を互いに相対回転させる回転部と、を含み、前記内側クレンジング部と前記外側クレンジング部は、１つまたはそれ以上の接触点を有することを特徴とする。
【００１３】
具体的に、前記内側クレンジング部と前記外側クレンジング部は、互いに異なる方向に回転し得る。
【００１４】
具体的に、前記接触点は、前記内側クレンジング部と前記外側クレンジング部が接触する１つまたはそれ以上の部分として、前記内側クレンジング部と前記外側クレンジング部が回転する間、回転摩擦によって洗浄製品と空気、水の混合力を高めてバブルを生成させ得る。
【００１５】
具体的に、前記内側クレンジング部と前記外側クレンジング部は、１つまたはそれ以上の収容部を有し得る。
【００１６】
具体的に、前記収容部は、前記内側クレンジング部と前記外側クレンジング部が接触しない空間部分として、前記接触点から生成されたバブルを収容し、前記内側クレンジング部の上面に提供できる。
【００１７】
具体的に、前記内側クレンジング部は、メッシュまたはスポンジ素材からなり、前記外側クレンジング部に少なくとも一部分が重畳するように、側面に１つまたはそれ以上の突出部が備えられ得る。
【００１８】
具体的に、前記突出部は、先端が切開された形を有し得る。
【００１９】
具体的に、前記内側クレンジング部は、上面が前記外側クレンジング部の高さと同一または類似の高さを有するフラット構造に形成され得る。
【００２０】
具体的に、前記内側クレンジング部は、一側の高さが前記外側クレンジング部の高さと同一または類似しており、他側の高さが前記外側クレンジング部の高さよりも低くなるように、上面が一方向に傾いたチルト構造に形成され得る。
【００２１】
具体的に、前記内側クレンジング部は、側面に垂直あるいは水平方向に切開された切開部を有するエッジカッティング構造に形成され得る。
【００２２】
具体的に、前記内側クレンジング部は、上面が一方向に傾いたチルト構造と側面に垂直あるいは水平方向に切開された切開部を有するエッジカッティング構造が組み合わされた構造に形成され得る。
【００２３】
具体的に、前記内側クレンジング部は、上面が前記外側クレンジング部の高さと同一または類似の高さを有するフラット構造と、側面に垂直あるいは水平方向に切開された切開部を有するエッジカッティング構造が組み合わされた構造に形成され得る。
【００２４】
具体的に、前記外側クレンジング部は、複数の毛を有するブラシからなり、前記内側クレンジング部との摩擦によって生成されたバブルが外部に飛散ることを防止するように、その高さが前記内側クレンジング部の高さよりも等しいか、または高く、ブラシの毛がぎっしりと配置され得る。
【発明の効果】
【００２５】
本発明によるクレンジング装置は、内側クレンジング部と外側クレンジング部が互いに異なる方向に回転または互いに相対回転するようにするが、内外側クレンジング部が１つまたはそれ以上の接触点を有するように構成することによって、接触点で内外側クレンジング部の摩擦によって洗浄製品と空気、水の混合力が高くなって自体的にバブル生成力を増大させることができ、効率的な洗浄を具現できる。
【００２６】
また、本発明によるクレンジング装置は、バブル生成力の増大により使用者の皮膚刺激を最小化でき、使用者の製品の満足度を向上させ得る。
【００２７】
また、本発明によるクレンジング装置は、内側クレンジング部をぎっしりとくるむ材質で外側クレンジング部を構成することによって、内側に生成されたバブルが使用中に外部に飛散らないようにすることができ、洗浄製品の無駄遣いを防止でき、使用者の満足度を向上させ得る。
【図面の簡単な説明】
【００２８】
【図１】本発明の一実施例によるクレンジング装置の斜視図である。
【図２】図１のＡ−Ａ’線に沿って切断した断面図である。
【図３】本発明の一実施例によるクレンジング装置における内外側クレンジング部の平面図である。
【図４】本発明の一実施例によるクレンジング装置における内側クレンジング部の構造を説明するための図３のＢ−Ｂ’線に沿って切断した断面図である。
【図５】本発明の一実施例によるクレンジング装置における内側クレンジング部の他の構造を説明するための図３のＢ−Ｂ’線に沿って切断した断面図である。
【図６】本発明の一実施例によるクレンジング装置における内側クレンジング部のまた他の構造を説明するための図３のＢ−Ｂ’線に沿って切断した断面図である。
【図７】本発明の一実施例によるクレンジング装置における内側クレンジング部のまた他の構造を説明するための図３のＢ−Ｂ’線に沿って切断した断面図である。
【図８】本発明の他の実施例によるクレンジング装置における内外側クレンジング部の平面図である。
【発明を実施するための形態】
【００２９】
本発明の目的、特定の利点および新規の特徴は、添付された図面と連関する以下の詳細な説明と好ましい実施例からさらに明らかになるであろう。本明細書で各図面の構成要素に参照番号を付加することにおいて、同一の構成要素に限っては、たとえ他の図面上に表示されてもできるだけ同一の番号を有するようにしていることに留意するべきである。また、本発明を説明するにおいて、関連した公知技術に対する具体的な説明が本発明の要旨を不必要に曖昧にし得ると判断される場合に、その詳細な説明は省略する。
【００３０】
以下、添付された図面を参照して本発明の好ましい実施例を具体的に説明する。
【００３１】
図１は、本発明の一実施例によるクレンジング装置の斜視図であり、図２は、図１のＡ−Ａ’線に沿って切断した断面図であり、図３は、本発明の一実施例によるクレンジング装置における内外側クレンジング部の平面図であり、図４は、本発明の一実施例によるクレンジング装置における内側クレンジング部の構造を説明するための図３のＢ−Ｂ’線に沿って切断した断面図であり、図５は、本発明の一実施例によるクレンジング装置における内側クレンジング部の他の構造を説明するための図３のＢ−Ｂ’線に沿って切断した断面図であり、図６は、本発明の一実施例によるクレンジング装置における内側クレンジング部のまた他の構造を説明するための図３のＢ−Ｂ’線に沿って切断した断面図であり、図７は、本発明の一実施例によるクレンジング装置における内側クレンジング部のまた他の構造を説明するための図３のＢ−Ｂ’線に沿って切断した断面図である。
【００３２】
図１ないし図３を参照すると、本発明の一実施例によるクレンジング装置１は、皮膚に接触して皮膚をクレンジングするか、または皮膚に一定の刺激を加えて皮膚をマッサージするための装置であって、ケース１０、駆動源２０、動力伝達部３０、内側回転部４０、外側回転部５０、内側クレンジング部６０、外側クレンジング部７０を含む。
【００３３】
このとき、本発明で説明する皮膚は、顔、身体、そして頭皮をすべて含む意味であり得る。また、本発明のクレンジング装置１は、便宜上、皮膚美容のための装置に限定して説明するが、掃除用装置に使用できることを知らせておく。
【００３４】
ケース１０は、内部に後述する駆動源２０、後述する動力伝達部３０、後述する内外側回転部４０、５０が設けられ得、一側に後述する内外側クレンジング部６０、７０が設けられ得る。
【００３５】
ケース１０は、使用者の利便性を向上させるために曲面形状を有する形状であり得、ケース１０をつかむ使用者の指が安定的に置かれるように、指安着溝（図示せず）が少なくとも１つ以上設けられ得る。すなわち、使用者は、ケース１０を把持した状態で後述する内外側クレンジング部６０、７０を皮膚に密着させて洗浄を行い得る。
【００３６】
駆動源２０は、ケース１０の内部に設けられ得、動力を発生させて後述する動力伝達部３０を介して後述する内外側クレンジング部６０、７０が設けられる後述する内外側回転部４０、５０に回転力を付与し得る。
【００３７】
駆動源２０は、回転モーターであり得、内外側クレンジング部６０、７０が設けられる内外側回転部４０、５０の一定角度の回転のためのサーボモーター（Ｓｅｒｖｏ−Ｍｏｔｏｒ）などであり得る。
【００３８】
動力伝達部３０は、ケース１０の内部に設けられ得、駆動源２０と内外側回転部４０、５０との間に設置されて駆動源２０の動力を後述する内外側回転部４０、５０のそれぞれに伝達するが、内側回転部４０と外側回転部５０が互いに異なる方向に回転するように構成され得る。すなわち、動力伝達部３０は、内側クレンジング部６０と外側クレンジング部７０を互いに異なる方向に回転させるように構成され得る。
【００３９】
また、動力伝達部３０は、内側回転部４０または外側回転部５０のうち、いずれか１つに動力を伝達し、動力が伝達されない内側回転部４０または外側回転部５０が相対回転するように構成され得る。
【００４０】
内側回転部４０は、動力伝達部３０に接続され、後述する内側クレンジング部６０を回転させ得る。
【００４１】
内側回転部４０は、動力伝達部３０を介して駆動源２０の動力の伝達を受け、時計方向および／または反時計方向に回転し得、後述する内側クレンジング部６０を固定した状態で回転することによって内側クレンジング部６０の回転を具現できる。
【００４２】
このような内側回転部４０は、内側回転板４１、内側回転軸４２、内側回転体４３を含み得る。
【００４３】
内側回転板４１は、後述する内側クレンジング部６０を固定し得る。
【００４４】
内側回転板４１は、円板の形に備えられ得、内側クレンジング部６０が備えられる面の反対側の面に内側回転軸４２が備えられ得る。このとき、内側回転板４１と内側回転軸４２は、一体型に備えられるか、または別に備えられて組立て製作され得る。
【００４５】
内側回転軸４２は、内側回転板４１の回転中心を形成し得る。内側回転軸４２は、内側回転板４１の中心に備えられ得る。もちろん、内側回転軸４２は、内側回転板４１の中心からずれて配置され得るが、この場合に、後述する外側回転部５０は、ずれた内側回転軸４２を介して回転する内側回転板４１によって形成される空間を備え、内側回転板４１が外側回転板５１と衝突しないようにすることができる。
【００４６】
内側回転軸４２の厚さは、内側回転板４１の自重や回転速度などによって様々に決定され得、内側回転軸４２は、後述する外側回転軸５２の内部に位置し得る。すなわち、外側回転軸５２の内部が空いている形であるとき、内側回転軸４２は、外側回転軸５２の内部で回転するように備えられ得る。
【００４７】
内側回転軸４２の一端は、内側回転板４１に固定され、他端は、内側回転体４３に固定され得る。もちろん、内側回転板４１の一面に内側回転体４３が直接固定され得るため、内側回転軸４２は、省略可能である。
【００４８】
内側回転体４３は、内側回転軸４２に備えられ得る。内側回転体４３は、動力伝達部３０にかみ合って時計方向および／または反時計方向に回転し得、ギア歯が形成されるギア、または表面摩擦力を用いて回転するローラーなどの様々な形態を有し得る。
【００４９】
外側回転部５０は、動力伝達部３０に接続され、後述する外側クレンジング部７０を回転させ得る。
【００５０】
外側回転部５０は、内側回転部４０と同様に動力伝達部３０を介して駆動源２０の動力の伝達を受けるが、内側回転部４０と反対方向に回転し得、後述する外側クレンジング部７０を固定した状態で回転することによって外側クレンジング部７０の回転を具現できる。
【００５１】
このような外側回転部５０は、外側回転板５１、外側回転軸５２、外側回転体５３を含み得る。
【００５２】
外側回転板５１は、後述する外側クレンジング部７０を固定し得る。
【００５３】
外側回転板５１は、内側回転板４１をくるむように備えられるため、円板の形ではなく、リング形状を有し得る。このとき、リングの内側の穴は、内側回転板４１の直径と同じか、または一定の余裕だけ、より大きくなり得る。
【００５４】
但し、内側回転板４１の中心から外れた位置に内側回転軸４２が接続される場合に、外側回転板５１の内側の穴は、内側回転軸４２によって回転される内側回転板４１が衝突しない大きさに十分に大きく形成され得る。
【００５５】
外側回転板５１は、リング形状を有するが、外側クレンジング部７０が固定される一面が内側回転板４１で内側クレンジング部６０が固定される一面と同一の平面上に置かれるようにすることができる。もちろん、本実施例は、外側回転板５１の一面と内側回転板４１の一面がずれて配置される場合を含み得る。
【００５６】
但し、外側回転板５１の一面と内側回転板４１の一面がずれて配置されても、外側回転板５１の一面と内側回転板４１の一面は、平行に備えられ得る。
【００５７】
外側回転軸５２は、外側回転板５１の回転中心を形成し得る。このとき、外側回転軸５２は、中空状に形成され、内側回転軸４２が内部に備えられるようにすることができる。したがって、外側回転軸５２は、内側回転軸４２よりも十分に大きい直径を有し得る。
【００５８】
外側回転体５３は、外側回転軸５２に備えられ得る。外側回転体５３は、動力伝達部３０にかみ合って内側回転体４３と反対方向に回転し得、内側回転体４３と同様にギア歯が形成されるギア、または表面摩擦力を用いて回転するローラーなどの様々な形態を有し得る。
【００５９】
前記で内側回転部４０と外側回転部５０は、動力伝達部３０から伝達された動力によって互いに異なる方向に回転することを説明したが、内側回転部４０のみ回転して外側回転部５０が相対回転するか、または外側回転部５０のみ回転して内側回転部４０が相対回転し得ることは勿論である。
【００６０】
すなわち、内側回転部４０と外側回転部５０は、後述する内側クレンジング部６０および外側クレンジング部７０を互いに相対回転させ得る。
【００６１】
内側クレンジング部６０および外側クレンジング部７０は、クレンジング対象に密着して皮膚をクレンジングするか、または皮膚をマッサージする固有の機能だけでなく、自体的にバブルを生成する機能も兼ね備えるように構成され得る。ここで、クレンジング対象とは、前述したように人の皮膚であり得、または掃除が必要な床などを意味し得る。
【００６２】
内側クレンジング部６０と外側クレンジング部７０は、バブル生成力を増大させるように、互いに異なる方向に回転または互いに相対回転し得、１つまたはそれ以上の接触点８０と、１つまたはそれ以上の収容部９０を有するように構成され得る。
【００６３】
接触点８０は、内側クレンジング部６０と外側クレンジング部７０が接触する１つまたはそれ以上の部分として、内側クレンジング部６０と外側クレンジング部７０が互いに異なる方向に回転または互いに相対回転する間に、回転摩擦によって洗浄製品と空気、水の混合力を高めてバブルを生成させ得る。
【００６４】
収容部９０は、内側クレンジング部６０と外側クレンジング部７０が接触しない空間部分として、接触点８０から生成されたバブルを収容し、内側クレンジング部６０の上面に提供できるようにする。
【００６５】
一例として、接触点８０では、内側クレンジング部６０と外側クレンジング部７０が最大−０.５ｃｍ重畳し得、収容部９０では、内側クレンジング部６０と外側クレンジング部７０が最大０.５ｃｍ離隔され得る。すなわち、内側クレンジング部６０と外側クレンジング部７０との間の距離は、−０.５ｃｍ〜０.５ｃｍであり得る。
【００６６】
これらの内側クレンジング部６０および外側クレンジング部７０それぞれの形状を具体的に説明する。
【００６７】
内側クレンジング部６０は、内側回転部４０の内側回転板４１に設けられて時計方向および／または反時計方向に回転し得、メッシュ、スポンジなどの素材からなり得る。
【００６８】
内側クレンジング部６０は、外側クレンジング部７０によって囲まれており、外側クレンジング部７０に少なくとも一部分が重畳するように、側面に１つまたはそれ以上の突出部６１が備えられ得る。すなわち、内側クレンジング部６０は、外側クレンジング部７０がリング形状の場合、星形、花形、多角形などリング形状に対応する形状ではなく、少なくとも一部分が外側に突き出る屈曲した形状に製作でき、突き出る部分が外側クレンジング部７０に重畳する突出部６１になる。このとき、内側クレンジング部６０に形成される突出部６１と外側クレンジング部７０が接触する部分が接触点８０になる。
【００６９】
突出部６１が形成された内側クレンジング部６０は、クレンジング対象に密着する上面が摩擦を起こすための凹凸構造を有するか、または摩擦を起こしやすい材質が設けられる構造であり得る。すなわち、内側クレンジング部６０において、クレンジング対象に密着する上面の形状や構造などは、特別に限定されず、クレンジングが可能なすべての形態を包括し得る。
【００７０】
また、突出部６１が形成された内側クレンジング部６０は、図４に示すように、上面が外側クレンジング部７０の高さと同一または類似の高さを有するフラット（Ｆｌａｔ）構造に形成され得るが、図５ないし図７に示すように、フラット構造と対比して相対的に内側クレンジング部６０を覆うバブルの程度をさらに増大させることができる様々な構造に形成し得るが、以下で説明する。
【００７１】
図５を参照すると、内側クレンジング部６０は、上面が一方向に傾いたチルト（Ｔｉｌｔ）構造に形成され得る。チルト構造に形成された内側クレンジング部６０は、一側の高さが外側クレンジング部７０の高さと同一または類似し、他側の高さが外側クレンジング部７０の高さよりも低くなるため、内側クレンジング部６０の上部に空間が生じるようになる。これによって、内側クレンジング部６０と外側クレンジング部７０が互いに異なる方向に回転または互いに相対回転しながら、接触点８０部分で継続して生成されるバブルが外側クレンジング部７０を介して外部に抜け出すよりは内側クレンジング部６０の上面に上がって結果的に内側クレンジング部６０を覆うバブルの量が多くなるようになる。
【００７２】
但し、本実施例は、チルト構造が上面のうち、少なくとも一部に適用される場合を含む。すなわち、内側クレンジング部６０の上面は、フラット構造とチルト構造が組み合わされた形態であり得、一例として、中央部は、フラット構造、周辺部は、チルト構造を有し得るが、これに限定されるものではない。
【００７３】
図６を参照すると、内側クレンジング部６０は、側面に垂直あるいは水平方向に切開された切開部６２を有するエッジカッティング（Ｅｄｇｅ  Ｃｕｔｔｉｎｇ）構造に形成され得、このようなエッジカッティング構造は、前記フラット構造と組み合わされた構造に形成され得る。エッジカッティング構造に形成された内側クレンジング部６０は、内側クレンジング部６０と外側クレンジング部７０が互いに異なる方向に回転または相対回転しながら、接触点８０からバブルが生成されることに加えて、切開部６２で洗浄製品と空気、水の混合力がより高まってバブルの生成力がさらに高まり、これによって内側クレンジング部６０を覆うバブルの量が多くなるようになる。
【００７４】
図７を参照すると、内側クレンジング部６０は、前記チルト構造とエッジカッティング構造が組み合わされた構造に形成され得る。組み合せ構造に形成された内側クレンジング部６０は、前記の説明から分かるように、内側クレンジング部６０を覆うバブルの量がより多くなるようになる。
【００７５】
前記エッジカッティング構造は、前記フラット構造と前記チルト構造が組み合わされた上面を有する内側クレンジング部６０に形成され得ることは勿論である。
【００７６】
外側クレンジング部７０は、内側クレンジング部６０をくるむように外側回転部５０の外側回転板５１に設けられ、内側クレンジング部６０と異なる方向に回転または相対回転し得、複数の毛を有するブラシからなり得る。
【００７７】
外側クレンジング部７０は、内側クレンジング部６０との摩擦によって生成されたバブルが外部に飛散ることを防止するように構成され得る。このために、外側クレンジング部７０は、その高さが内側クレンジング部６０の高さよりも等しいか、または高く、空気を含んでいるバブルの特性上、周囲の環境に飛散る特性を減少させるためにブラシの毛をぎっしりと配置し得る。
【００７８】
外側クレンジング部７０は、複数の毛の形態ではなく、丸いか、または突起の形などの様々なアプリケーター（Ａｐｐｌｉｃａｔｏｒ）であり得ることは勿論である。
【００７９】
このとき、外側クレンジング部７０を構成する毛は、ポリウレタン、ポリエチレン、ポリエステル、ポリエーテル、ポリプロピレン、ポリスチレン、ＡＢＳ、ＳＡＮ、アクリル、ポリアミド、ポリカーボネート、ポリエチレンテレフタレート、ナイロンなどのプラスチックや、シリコーン、セラミックス、ゴム、天然繊維や人造繊維または金属繊維などの様々な材質からなり得る。
【００８０】
このように本実施例は、内側クレンジング部６０と外側クレンジング部７０が互いに異なる方向に回転または互いに相対回転するようにするが、内外側クレンジング部６０、７０が１つまたはそれ以上の接触点８０を有するように構成することによって、接触点８０で内外側クレンジング部６０、７０の摩擦によって洗浄製品と空気、水の混合力が高まり、自体的にバブル生成力を増大させることができ、効率的な洗浄を具現できる。
【００８１】
また、本実施例は、バブル生成力の増大により使用者の皮膚刺激を最小化でき、使用者の製品の満足度を向上させ得る。
【００８２】
また、本実施例は、内側クレンジング部６０をぎっしりとくるむ材質で外側クレンジング部７０を構成することによって、内側に生成されたバブルが使用中に外部に飛散らないようにすることができ、洗浄製品の無駄遣いを防止でき、使用者の満足度を向上させ得る。
【００８３】
図８は、本発明の他の実施例によるクレンジング装置における内外側クレンジング部の平面図である。
【００８４】
図８を参照すると、本実施例は、前の実施例とは異なり、突出部６１の先端を内側方向に切断し得、例えば、平面から見るとき、「Ｖ」字のように凹面に切断された形に内側クレンジング部６０を形成し得る。
【００８５】
この場合、本実施例は、内側クレンジング部６０と外側クレンジング部７０間の接触点８０を前の実施例に比べて増やせるため、接触点８０でバブル生成力をより向上させ得る。本実施例について説明を省略した部分は、前述の内容で代える。
【００８６】
以上では、本発明の実施例を中心に本発明を説明したが、これは単に例示にすぎず、本発明を限定するものではなく、本発明が属する分野の通常の知識を有する者であれば、本実施例の本質的な技術内容を逸脱しない範囲で実施例に例示されていない様々の組み合せまたは変形と応用が可能であることが分かるであろう。したがって、本発明の実施例から容易に導出可能な変形と応用に係る技術内容は、本発明に含まれるものと解釈されるべきである。
【符号の説明】
【００８７】
１  クレンジング装置
１０  ケース
２０  駆動源
３０  動力伝達部
４０  内側回転部
４１  内側回転板
４２  内側回転軸
４３  内側回転体
５０  外側回転部
５１  外側回転板
５２  外側回転軸
５３  外側回転体
６０  内側クレンジング部
６１  突出部
６２  切開部
７０  外側クレンジング部
８０  接触点
９０  収容部
【図１】
2021520238.tif 000003
【図２】
2021520238.tif 000004
【図３】
2021520238.tif 000005
【図４】
2021520238.tif 000006
【図５】
2021520238.tif 000007
【図６】
2021520238.tif 000008
【図７】
2021520238.tif 000009
【図８】
2021520238.tif 000010
【国際調査報告】
2021520238.tif 000011
2021520238.tif 000012
2021520238.tif 000013
2021520238.tif 000014